(57)【要約】      （修正有）【課題】コード等の抜落や遊動を防止する結束用バンドにあって、再利用できる構造を有した結束用バンドの固定具の着脱機構を提供する。【解決手段】結束用バンドを摺動可能に設けた帯状の固定具本体２と、固定具本体２の基端に形成した平板状の固定具基部３と、固定具基部３の巾方向の両側辺から下方に拡がる傾斜を有する弾性挟圧片４と、固定具基部３の底面に突設した挿通片と、挿通片の先端の両側に弾性挟圧片４と相対するように上方に拡がる傾斜を有する弾性係止片６とを設ける。さらに、弾性係止片６の先端に係止段部６ａを有して突設した係止突部６ｂと、を備え、電気機器の基板１１に設けた固定用小孔１２は挿通側が真円形状で被挿通側が楕円形状又は長円形状と成るように傾斜面を形成する。【選択図】図２
0003174229.tif 000002
【実用新案登録請求の範囲】
【請求項１】
結束用バンドを備え電気機器の基板に設けた固定用小孔に着脱可能に固定する固定具の着脱機構であって、前記結束用バンドを摺動可能に設けた帯状の固定具本体と、該固定具本体の基端に長手方向と直交する方向に一体に形成した平板状の固定具基部と、該固定具基部の巾方向の両側辺から下方に拡がる傾斜を有する夫々の弾性挟圧片と、前記固定具基部の底面に突設した挿通片と、該挿通片の先端の両側に前記弾性挟圧片と相対するように上方に拡がる傾斜を有する夫々の弾性係止片と、該夫々の弾性係止片の先端に外側に係止段部を有して突設した係止突部と、を備え、前記電気機器の基板に設けた前記固定用小孔は挿通側が真円形状で被挿通側が楕円形状又は長円形状と成るように傾斜面を形成したことを特徴とする結束用バンドの固定具の着脱機構。
【請求項２】
結束用バンドを備え電気機器の基板に設けた固定用小孔に着脱可能に固定する固定具の着脱機構であって、前記結束用バンドを摺動可能に設けた帯状の固定具本体と、該固定具本体の基端に長手方向と直交する方向に一体に形成した平板状の固定具基部と、該固定具基部の巾方向の両側辺から下方に拡がる傾斜を有する夫々の弾性挟圧片と、前記固定具基部の底面に突設した挿通片と、該挿通片の先端の両側に前記弾性挟圧片と相対するように上方に拡がる傾斜を有する夫々の弾性係止片と、該夫々の弾性係止片の先端に外側に係止段部を有して突設した係止突部と、を備え、前記電気機器の基板に設けた前記固定用小孔は真円形状で被挿通側に円周上に直径を介して相対する取外用リブを立設したことを特徴とする結束用バンドの固定具の着脱機構。
【考案の詳細な説明】
【技術分野】
【０００１】
本考案は、結束用バンドの固定具の着脱機構に関するものであって、更に、詳細には、電気機器の基板やその近傍に配設されたコードやワイヤーハーネス等の抜落や遊動を防止するために結束して固定するための結束用バンドの固定具において着脱する機構に関するものである。
【背景技術】
【０００２】
従来、この種の結束用バンドの固定具も各種開発され、必要な部位に簡単に取り付けて、締結して使用されているが、その殆どは使い捨てにされており、再利用するための構造は有していないものである。
【０００３】
例えば、先に開示された、把持部１１は、プラグ２３のブーツ部２７を外周から締め付けて把持し、バンド５に対する接続位置も任意に調整できる。パソコンＰＣの電源コネクタ２１の近傍には図示しない穴が穿設され、バンド５の基端が固定された固定部７は、その穴に弾性変形によって着脱可能に嵌合する。固定部７と把持部１１とはバンド５を介して連結されているので、プラグ２３が電源コネクタ２１から抜けるのが防止できる。固定部７と把持部１１との間隔を抜け止めに最も効果的な間隔（例えば、ブーツ部２７が最も強固に把持でき、バンド５に弛みが生じない間隔）となるように調整すれば、一層良好に抜け止めができるもの（特許文献１参照）や、電源ケーブル３０のプラグ３２を、装置１００側に設けられた電源供給用のコネクタに差し込まれた状態に保持するための保持具において、電源ケーブル３０のプラグ３２を係止する係止具と、電源供給用コネクタ近傍に固定される支持具と、を備え、支持具は、電源ケーブル３０のプラグ３２と共に、係止具を任意の位置で固定することができるバンド部を備える。また、係止具は、電源ケーブル３０の根元部分に形成されたブーツ部３１を締め付けて係止することが出来、支持具とは別部品で構成され、電源ケーブル３０を電源供給用コネクタに差し込まれた状態に保持する時に支持具に固定されるもの（特許文献２参照）等が開示されている。
【特許文献１】特開２００２−３３５６２０号公報
【特許文献２】特開２００５−２０４３８１号公報
【考案の開示】
【考案が解決しようとする課題】
【０００４】
然し乍ら、前述の開示されている特許文献１に記載のものは、同様な結束用バンドの固定具の着脱機構であり、バンド５の基端が固定された固定部７は、その穴に弾性変形によって着脱可能に嵌合すると、されているが取り外しは弾性変形に逆らって行うもので、工具を必要として手間暇が係るものであり、また、特許文献２に記載のものは、電源ケーブル３０のプラグ３２を、装置１００側に設けられた電源供給用のコネクタに差し込まれた状態に保持するための保持具であり、同様なものであるが、再利用ができる構造は有していないものである。
【課題を解決するための手段】
【０００５】
本考案は前記課題に鑑み、鋭意研鑽の結果、これらの課題を解決するもので、結束用バンドを備え電気機器の基板に設けた固定用小孔に着脱可能に固定する固定具の着脱機構は、結束用バンドを摺動可能に設けた帯状の固定具本体と、固定具本体の基端に長手方向と直交する方向に一体に形成した平板状の固定具基部と、固定具基部の巾方向の両側辺から下方に拡がる傾斜を有する弾性挟圧片と、固定具基部の底面に突設した挿通片と、挿通片の先端の両側に弾性挟圧片と相対するように上方に拡がる傾斜を有する弾性係止片と、弾性係止片の先端に外側に係止段部を有して突設した係止突部と、を備え、電気機器の基板に設けた固定用小孔は挿通側が真円形状で被挿通側が楕円形状又は長円形状と成るように傾斜面を形成したものであり、更に、結束用バンドの固定具の着脱機構は、電気機器の基板に設けた固定用小孔は真円形状で被挿通側に円周上に直径を介して相対する取外用リブを立設したものである。
【考案の効果】
【０００６】
本考案の結束用バンドの固定具の着脱機構は、結束用バンドを摺動可能に設けた帯状の固定具本体と、固定具本体の基端に長手方向と直交する方向に一体に形成した平板状の固定具基部と、固定具基部の巾方向の両側辺から下方に拡がる傾斜を有する弾性挟圧部と、固定具基部の底面に突設した挿通片と、挿通片の先端の両側に弾性挟圧片と相対するように上方に拡がる傾斜を有する弾性係止片と、弾性係止片の先端に外側に係止段部を有して突設した係止突部と、を備えた固定具を、挿通側が真円形状で被挿通側が楕円形状又は長円形状と成るように傾斜面を形成した電気機器の基板に設けた固定用小孔に着脱可能に挿通固定させるものであり、また、真円形状で被挿通側に円周上に直径を介して相対する取外用リブを立設した電気機器の基板に設けた固定用小孔に着脱可能に挿通固定させるものであり、挿通時には固定用小孔に真っ直ぐ固定具の基部を挿通するのみで固定でき、取り外しは何れかの水平方向に９０度回動させるだけで自動的に容易に取り外せるもので、有意義な効果を奏し実用性の高い画期的な考案である。
【考案を実施するための最良の形態】
【０００７】
以下、本考案の結束用バンドの固定具の着脱機構の実施の形態を図面によって具体的に説明すると、図１は本考案の結束用バンドの固定具の着脱機構の実施例の平面説明図であり、図２は本考案の結束用バンドの固定具の着脱機構の実施例の固定状態を表す説明図であり、図３は本考案の結束用バンドの固定具の着脱機構を固定する実施例の固定用小孔の説明図であり、図４は本考案の結束用バンドの固定具の着脱機構を固定する次実施例の固定用小孔の説明図である。
【０００８】
本考案は、結束用バンドの固定具の着脱機構に関するものであって、更に、詳細には、電気機器の基板やその近傍に配設されたコードやワイヤーハーネス等の抜落や遊動を防止するために結束して固定するための結束用バンドの固定具において着脱する機構に関するものであり、請求項１に記載の結束用バンドの固定具の着脱機構は、結束用バンドＡを備え電気機器の基板１１に設けた固定用小孔１２に着脱可能に固定する固定具１の着脱機構であって、前記結束用バンドＡを摺動可能に設けた帯状の固定具本体２と、該固定具本体２の基端に長手方向と直交する方向に一体に形成した平板状の固定具基部３と、該固定具基部３の巾方向の両側辺から下方に拡がる傾斜を有する夫々の弾性挟圧片４と、前記固定具基部３の底面に突設した挿通片５と、該挿通片５の先端の両側に前記弾性挟圧片４と相対するように上方に拡がる傾斜を有する夫々の弾性係止片６と、該夫々の弾性係止片６の先端に外側に係止段部６ａを有して突設した係止突部６ｂと、を備え、前記電気機器の基板１１に設けた前記固定用小孔１２は挿通側が真円形状１２ａで被挿通側が楕円形状又は長円形状１２ｂと成るように傾斜面１２ｃを形成したことを特徴とするものである。
【０００９】
更に、請求項２に記載の結束用バンドの固定具の着脱機構は、結束用バンドＡを備え電気機器の基板１１に設けた固定用小孔１２に着脱可能に固定する固定具１の着脱機構であって、前記結束用バンドＡを摺動可能に設けた帯状の固定具本体２と、該固定具本体２の基端に長手方向と直交する方向に一体に形成した平板状の固定具基部３と、該固定具基部３の巾方向の両側辺から下方に拡がる傾斜を有する夫々の弾性挟圧片４と、前記固定具基部３の底面に突設した挿通片５と、該挿通片５の先端の両側に前記弾性挟圧片４と相対するように上方に拡がる傾斜を有する夫々の弾性係止片６と、該夫々の弾性係止片６の先端に外側に係止段部６ａを有して突設した係止突部６ｂと、を備え、前記電気機器の基板１１に設けた前記固定用小孔１２は真円形状１２ａで被挿通側に円周上に直径を介して相対する取外用リブ１３を立設したことを特徴とするものである。
【実施例】
【００１０】
即ち、本考案の結束用バンドの固定具の着脱機構は、電気機器の基板１１やその近傍に配設されたコードやワイヤーハーネス等の抜落や遊動を防止するために結束して固定するためのものであって、材料特性としての弾性を有する合成樹脂で形成しているものである。
【００１１】
そして、結束用バンドＡは、コードやワイヤーハーネス等を直接結束するもので、後述する帯状の固定具本体２に摺動可能に設けているものであり、その構成は様々考慮され任意なものである。
【００１２】
次に、固定具本体２は、図１に図示するように、帯状のもので結束用バンドＡの位置を自在に移動できるように摺動可能に設けているもので、その位置決めのために多数の横凹溝を形成して、結束用バンドＡに設けた係止用突起と係合するようにし、所望の位置で係止できるようにしているものである。
【００１３】
次いで、固定具基部３は、固定具本体２の基端に長手方向と直交する方向に一体に形成した矩形状の平板であり、つまり、固定具基部３は矩形状の平板の上面の略中央から帯状に延設しているものである。
【００１４】
更に、弾性挟圧片４は、固定具基部３の巾方向の両側辺から下方に拡がる傾斜を有する弾性片で、先端には固定状態を安定させるために挟持する側、つまり、下方にリブを膨出させているものである。
【００１５】
更には、挿通片５は、矩形状の平板の固定具基部３の底面の略中央に突設しているものであり、帯状の固定具本体２の巾方向と直角方向に巾を有しているものである。
【００１６】
加えて、弾性係止片６は、挿通片５の厚み方向の先端から両側に上方に拡がる傾斜を有するものであり、つまり、下方に拡がる弾性挟圧片４と、上方に拡がる弾性係止片６は対向して、後述する電気機器の基板１１を挟持するものである。
【００１７】
次に、係止段部６ａと係止突部６ｂとは、夫々の弾性係止片６の先端に外側に係止段部６ａを有するように内側に係止突部６ｂを突設させているもので、係止段部６ａと係止突部６ｂとは後述する固定用小孔１２の被挿通側の角部に係止されるものである。
【００１８】
そして、固定用小孔１２は、電気機器の基板１１の所望の位置に予め穿設しているもので、その場所や数は任意のもので、傾斜面１２ｃは、固定用小孔１２の内周面に形成し、挿通側が真円形状１２ａで反対側の被挿通側が楕円形状又は長円形状１２ｂと成るようにしたものである。
【００１９】
つまり、電気機器の基板１１に予め穿設された固定用小孔１２に固定具本体２を把持して、基端から挿通させると、弾性係止片６が窄められると共に、固定用小孔１２の基板１１の上面で弾性挟圧片４は拡げられるものである。
【００２０】
更に、挿通させることにより、図２に図示するように、弾性係止片６は固定用小孔１２を貫通して基板１１の下面で材料特性の弾性により拡張することにより、係止段部６ａは固定用小孔１２を下面から支え、係止突部６ｂは更に拡張することを防止しているもので、この状態で把持を解放すると、弾性挟圧片４の弾性が弾性係止片６の弾性より強いので若干持ち上げられた状態で基板１１にしっかりと固定され、近傍に有るコードやワイヤハーネス等を結束バンドで結束するものである。
【００２１】
次いで、この状態から固定具１を取り外す時は、結束バンドで結束を解除して、固定具本体２を把持して水平方向に９０度回動させると、弾性係止片６の係止段部６ａが基板１１の被挿通側に形成した楕円形状又は長円形状１２ｂの傾斜面１２ｃを滑り弾性により窄むと共に、弾性挟圧片４も弾性により窄み固定具１が容易に外れるものである。
【００２２】
また、次実施例において、固定具１は実施例と同じものであるので詳述は省略するものであるが、電気機器の基板１１に設けた固定用小孔１２において、固定用小孔１２は真円形状１２ａで被挿通側に円周上に直径を介して相対する取外用リブ１３を立設したものである。
【００２３】
つまり、固定状態から固定具１を取り外す時は、結束バンドで結束を解除して、固定具本体２を把持して水平方向に９０度回動させると、弾性係止片６が基板１１の被挿通側に形成した取外用リブ１３により中方向に押されて、係止段部６ａが内側に外れ、弾性係止片６が窄むと共に、弾性挟圧片４も弾性により窄み固定具１が容易に外れるものである。
【産業上の利用可能性】
【００２４】
本考案は、結束用バンドを摺動可能に設けた帯状の固定具本体と、固定具本体の基端に長手方向と直交する方向に一体に形成した平板状の固定具基部と、固定具基部の巾方向の両側辺から下方に拡がる傾斜を有する弾性挟圧部と、固定具基部の底面に突設した挿通片と、挿通片の先端の両側に弾性挟圧片と相対するように上方に拡がる傾斜を有する弾性係止片と、弾性係止片の先端に外側に係止段部を有して突設した係止突部と、を備えた固定具を、挿通側が真円形状で被挿通側が楕円形状又は長円形状と成るように傾斜面を形成した電気機器の基板に設けた固定用小孔に着脱可能に挿通固定させるものであり、また、真円形状で被挿通側に円周上に直径を介して相対する取外用リブを立設した電気機器の基板に設けた固定用小孔に着脱可能に挿通固定させるものであり、挿通時には固定用小孔に真っ直ぐ固定具の基部を挿通するのみで固定でき、取り外しは何れかの水平方向に９０度回動させるだけで自動的に容易に取り外せる結束用バンドの固定具の着脱機構の提供するものである。
【図面の簡単な説明】
【００２５】
【図１】図１は本考案の結束用バンドの固定具の着脱機構の実施例の平面説明図である。
【図２】図２は本考案の結束用バンドの固定具の着脱機構の実施例の固定状態を表す説明図である。
【図３】図３は本考案の結束用バンドの固定具の着脱機構を固定する実施例の固定用小孔の説明図である。
【図４】図４は本考案の結束用バンドの固定具の着脱機構を固定する次実施例の固定用小孔の説明図である。
【符号の説明】
【００２６】
Ａ      結束用バンド
１      固定具
２      固定具本体
３      固定具基部
４      弾性挟圧片
５      挿通片
６      弾性係止片
６ａ    係止段部
６ｂ    係止突部
１１    基板
１２    固定用小孔
１２ａ  真円形状
１２ｂ  楕円形状又は長円形状
１２ｃ  傾斜面
１３    取外用リブ
【図１】
0003174229.tif 000003
【図２】
0003174229.tif 000004
【図３】
0003174229.tif 000005
【図４】
0003174229.tif 000006